(57)【要約】【解決手段】ハウジング本体Ｈ１に、回転ブロック４を有する上動可能な表示部材Ｄと保護素子部材Ｐとを配設するとともに、前記表示部材に埋設された切り離し金具５と前記保護素子部材とを溶融部材Ｍを介して連結し、前記保護素子部材を構成する保護素子が保安状態を維持している状態においては、前記回転ブロックの正常動作表示側面４ｃが、ハウジング本体に穿設された表示窓ｈ５から目視され、また、前記保護素子部材を構成する保護素子が保安状態を喪失した状態においては、前記表示部材が上動することにより、喪失動作表示側面４ｆが上方に位置するように前記回転ブロックが回転されるとともに、前記回転ブロックが、表示窓から突出するように構成されているものである。【効果】保護素子部材を構成する保護素子が、保安状態を維持している状態か或いは保安状態を喪失した状態かを、確実に区別して確認することができる。【選択図】図７
2006059888.tif 000002
【特許請求の範囲】
【請求項１】
ハウジング本体に、回転ブロックを有する上動可能な表示部材と保護素子部材とを配設するとともに、前記表示部材に埋設された切り離し金具と前記保護素子部材とを溶融部材を介して連結し、前記保護素子部材を構成する保護素子が保安状態を維持している状態においては、前記回転ブロックの正常動作表示側面が、前記ハウジング本体に穿設された表示窓から目視され、また、前記保護素子部材を構成する保護素子が保安状態を喪失した状態においては、前記表示部材が上動することにより、喪失動作表示側面が上方に位置するように前記回転ブロックが回転されるとともに、前記回転ブロックが、前記表示窓から突出するように構成されていることを特徴とする保安装置。
【請求項２】
前記表示部材を構成する本体が、前記ハウジング本体に立設されたガイドリブと前記ハウジング本体を形成する垂直部とにより形成される空間部に配置されていることを特徴とする請求項１に記載の保安装置。
【発明の詳細な説明】
【技術分野】
【０００１】
本発明は、電気機器等を雷等の高圧サージから保護するための保安装置に関するものであり、特に、保護素子が過熱した際には、保護素子を、保護対象回路から切り離すとともに、保護素子が、保護対象回路から切る離された状態を外部に表示する手段を備えた保安装置に関するものである。
【背景技術】
【０００２】
保護素子が過熱した際には、保護素子の熱を利用して、保護素子側部材と表示棒側部材との半田付け部分を溶融し、表示棒を、カバー部材から突出させるように構成された保安装置が、一例として、特許文献１に開示されている。
【特許文献１】実開平３−１３０１８６号公報
【発明の開示】
【発明が解決しようとする課題】
【０００３】
上述した従来の保安装置においては、表示棒が、カバー部材から突出しているか否かを目視して、保護素子の損傷を確認するものであるが、表示棒のカバー部材からの突出のみの目視では、しばしば、表示棒の突出が見逃されるという問題があった。
【０００４】
本発明の目的は、上述した従来の保安装置が有する課題を解決することにある。
【課題を解決するための手段】
【０００５】
上述した目的を達成するために、本発明は、第１には、ハウジング本体に、回転ブロックを有する上動可能な表示部材と保護素子部材とを配設するとともに、前記表示部材に埋設された切り離し金具と前記保護素子部材とを溶融部材を介して連結し、前記保護素子部材を構成する保護素子が保安状態を維持している状態においては、前記回転ブロックの正常動作表示側面が、ハウジング本体に穿設された表示窓から目視され、また、前記保護素子部材を構成する保護素子が保安状態を喪失した状態においては、前記表示部材が上動することにより、喪失動作表示側面が上方に位置するように前記回転ブロックが回転されるとともに、前記回転ブロックが、表示窓から突出するように構成されているものであり、第２には、前記表示部材を構成する本体を、前記ハウジング本体に立設されたガイドリブと前記ハウジング本体を形成する垂直部とにより形成される空間部に配置したものである。
【発明の効果】
【０００６】
保護素子部材を構成する保護素子が保安状態を維持している状態においては、回転ブロックの正常動作表示側面が、ハウジング本体に穿設された表示窓から目視され、また、保護素子部材を構成する保護素子が保安状態を喪失した状態においては、表示部材が上動することにより、喪失動作表示側面が上方に位置するように回転ブロックが回転されるとともに、回転ブロックが、表示窓から突出するように構成したので、保護素子部材を構成する保護素子が、保安状態を維持している状態か或いは保安状態を喪失した状態かを、確実に区別して確認することができる。
【０００７】
表示部材を構成する本体を、ハウジング本体に立設されたガイドリブとハウジング本体を形成する垂直部とにより形成される空間部に配置したので、表示部材の上動が円滑に行われ、従って、保護素子部材を構成する保護素子が、保安状態を喪失した際に、表示部材に配設された回転ブロックを、確実に回転することができるとともに、回転ブロックを、確実に表示窓から突出することができる。
【実施例】
【０００８】
以下に、本発明の実施例について説明するが、本発明の趣旨を越えない限り、何ら、本実施例に限定されるものではない。
【０００９】
先ず最初に、図１及び図２を用いて、ハウジングＨを形成するハウジング本体Ｈ１について説明する。
【００１０】
ハウジング本体Ｈ１は、正面形状が略方形状の奥壁ｈ１と、奥壁ｈ１を囲むように形成された額縁状の周壁ｈ２とを有する箱型に形成されており、周壁ｈ２は、天部ｈ２ａと、底部ｈ２ｂと、天部ｈ２ａの両端と底部ｈ２ｂの両端とを連結する相対する垂直部ｈ２ｃとから形成されている。
【００１１】
ｈ３は、奥壁ｈ１に立設された円筒状の保護素子収容部であり、本実施例には、保護素子収容部ｈ３が、周壁ｈ２を構成する天部ｈ２ａと一方の垂直部ｈ２ｃとに連接されている例が示されている。上記の天部ｈ２ａと一方の垂直部ｈ２ｃとにより形成される一方の上部角部ｈ２ｄ’付近に位置する保護素子収容部ｈ３には、後述する一対の保護素子を挟持する挟持板が挿入可能な切欠き凹部（以下、挟持板用上部切欠き凹部と称する。）ｈ３ａが形成されており、また、挟持板用上部切欠き凹部ｈ３ａと略対角位置にある保護素子収容部ｈ３にも、挟持板用上部切欠き凹部ｈ３ａと同様の切欠き凹部（以下、挟持板用下部切欠き凹部と称する。）ｈ３ｂが形成されている。また、挟持板用下部切欠き凹部ｈ３ｂより、上記の一方の上部角部ｈ２ｄ’を形成する一方の垂直部ｈ２ｃ寄りに位置する保護素子収容部ｈ３には、後述するアース端子金具が挿入可能な切欠き凹部（以下、端子金具用切欠き凹部と称する。）ｈ３ｃが形成されている。
【００１２】
周壁ｈ２を形成する底部ｈ２ｂには、所定の間隔を置いて、一対の切欠き凹部ｈ４が形成されており、切欠き凹部ｈ４を形成する奥壁ｈ４ａには、円柱状の嵌合突起ｈ４ｂが突設されている。
【００１３】
上述した一方の上部角部ｈ２ｄ’と相対するもう一方の上部角部ｈ２ｄ”付近に位置する周壁ｈ２の天部ｈ２ａには、表示窓として機能する切欠き凹部ｈ５が形成されている。また、上記のもう一方の上部角部ｈ２ｄ”を形成する、もう一方の垂直部ｈ２ｃ付近に位置する奥壁ｈ１には、上記のもう一方の垂直部ｈ２ｃに平行に、所定の間隔で複数のガイドリブｈ６が立設されている。本実施例には、ガイドリブｈ６が３分割された例が示されている。そして、天部ｈ２ａに一番接近して配置されたガイドリブｈ６の上端と周壁ｈ２の天部ｈ２ａとの間には、後述する表示部材の回転ブロックが回転可能な間隙Ｇが形成されている。なお、保護素子収容部ｈ３側に位置するガイドリブｈ６の側面ｈ６ａと奥壁ｈ１とにより形成される隅部に、三角形状の補強リブｈ６ｂを形成することが好ましい。このような補強リブｈ６ｂを形成することにより、ガイドリブｈ６の強度や剛性を向上することができる。
【００１４】
ｈ７は、奥壁ｈ１に、適当数、立設された蓋取付用円筒部であり、蓋取付用円筒部ｈ７の内周には、ネジ溝ｈ７ａが刻設されている。本実施例においては、３本の蓋取付用円筒部ｈ７が立設されている例が示されている。ｈ８は、周壁ｈ２の天部ｈ２ａともう一方の垂直部ｈ２ｃとにより形成された隅部に形成された当接ブロックであり、当接ブロックｈ８の上述したもう一方の上部角部ｈ２ｄ”に対して対角に位置する角部には、嵌合溝ｈ８ａが形成されている。
【００１５】
ｈ９は、一対の切欠き凹部ｈ４間に位置する周壁ｈ２の底部ｈ２ｂと、挟持板用下部切欠き凹部ｈ３ｂと端子金具用切欠き凹部ｈ３ｃとの間に位置する保護素子収容部ｈ３とを連結する架橋リブであり、このような架橋リブｈ９を形成することにより、切欠き凹部ｈ４が形成された底部ｈ２ｂと、挟持板用下部切欠き凹部ｈ３ｂと端子金具用切欠き凹部ｈ３ｃとが形成された保護素子収容部ｈ３とを補強することができる。また、ガイドリブｈ６と当接ブロックｈ８が連接されている垂直部ｈ２ｃとの間に位置する底部ｈ２ｂには、透孔ｈ１０が穿設されている。
【００１６】
なお、周壁ｈ２の先端角部には、後述する板状の蓋Ｈ２が嵌合可能な段差ｈ２’を形成することが好ましい。
【００１７】
次に、図３及び図４を用いて、本発明の保安装置を構成する表示部材Ｄについて説明する。
【００１８】
表示部材Ｄは、絶縁性の合成樹脂で成形された略角柱状の本体１を有しており、本体１は、横長の長方形状の相対する上面１ａと下面１ｂと、縦長の長方形状の相対する前面１ｃと後面１ｄと、縦長の長方形状の相対する側面１ｅとを有している。本体１の上面１ａには、所定の間隔をおいて、一対の略角柱状の支持ブロック２が立設されており、また、本体１の下面１ｂの略中央部には、円柱状のガイド支柱３が垂設されているとともに、相対する支持ブロック２には、支持ブロック２の相対する面２ａに対して垂直な透孔２ｂが穿設されている。
【００１９】
４は、合成樹脂で成形された略角柱状の回転ブロックであり、回転ブロック４の相対する端面４ａの中央部には、回転ブロック４の軸線に沿って、枢支ピン４ｂが突設されている。回転ブロック４の所定の角部を形成する、互いに直交する側面４ｃ、４ｄのうち、一方の側面４ｄには、該側面４ｄに対して垂直に突出した係合突条４ｅが形成されている。互いに直交する側面４ｃ、４ｄのうち、係合突条４ｅが形成されていない側面４ｃは、保安装置が、正常な保安状態であることを表示する所定の色彩、例えば、緑色に着色されている（以下、正常な保安状態であることを表示する所定の色彩が施された側面４ｃを、正常動作表示側面４ｃと称する。）。また、係合突条４ｅが形成されている側面４ｄと相対する側面４ｆは、保安装置が、保安状態を喪失したことを表示する所定の色彩、例えば、赤色に着色されている（以下、保安状態が喪失された状態であることを表示する所定の色彩が施された側面４ｆを、喪失動作表示側面４ｆと称する。）。
【００２０】
回転ブロック４の相対する端面４ａに突設された枢支ピン４ｂを、表示部材Ｄの相対する支持ブロック２に穿設された透孔２ｂに嵌入することにより、回転ブロック４が回転可能なように構成されている。
【００２１】
５は、導電性金属板で形成された切り離し金具であり、切り離し金具５は、互いに略平行に配置された上部端子部５ａと下部端子部５ｂと、上部端子部５ａと下部端子部５ｂとを連結する連結部５ｃとにより形成されている。切り離し金具５は、上部端子部５ａと下部端子部５ｂの一部が、表示部材Ｄの本体１の一方の側面１ｅから突出するように、絶縁性の合成樹脂で成形された表示部材Ｄの本体１に埋設されている。
【００２２】
図５において、Ｐは、保護素子部材であり、保護素子部材Ｐは、保護素子として機能する一対のバリスター１０と、バリスター１０の相対する一方の側面１０ａにより挟持されたアース端子金具１１とを有している。１２は、一対のバリスター１０を挟持するための一対の帯状の挟持板であり、一対のバリスター１０のもう一方の側面１０ｂに当接されている。１３は、一対の挟持板１２の両端部間に配置される連結円筒であり、連結円筒１３にボルト１４を挿入するとともに、ボルト１４の端部に、図示されていないナットを螺合させることにより、挟持板１２や連結円筒１３等により、バリスター１０やバリスター１０の相対する一方の側面１０ａに挟持されたアース端子金具１１を保持するように構成されている。このようにして、保護素子部材Ｐが組み立てられる。なお、１５は、一方のバリスター１０に連接された保護素子側端子金具である。
【００２３】
次に、図６及び図７を用いて、ハウジング本体Ｈ１への保護素子部材Ｐ等の取り付けについて説明する。
【００２４】
ハウジングＨを形成するハウジング本体Ｈ１に配設された保護素子収容部ｈ３に、保護素子部材Ｐの保護素子として機能する一対のバリスター１０を収納するとともに、保護素子収容部ｈ３に形成された挟持板用上部切欠き凹部ｈ３ａと挟持板用下部切欠き凹部ｈ３ｂとに、保護素子部材Ｐを構成する挟持板１２の両端部を嵌合する。
【００２５】
また、ハウジング本体Ｈ１の奥壁ｈ１に立設されたガイドリブｈ６と該ガイドリブｈ６と接近して対峙する周壁ｈ２の垂直部ｈ２ｃとにより形成される空間部Ａに、表示部材Ｄを構成する本体１を、本体１の後面１ｄが、奥壁ｈ１に当接或いは接近するように配置するとともに、表示部材Ｄの本体１の一方の側面１ｅが、上記の垂直部ｈ２ｃに当接或いは接近するように、且つ、もう一方の本体１の側面１ｅが、ガイドリブｈ６に当接或いは接近するように配置する。そして、表示部材Ｄを構成する本体１の下面１ｂに垂設されたガイド支柱３を囲撓するように、圧縮弾性部材としての圧縮コイルスプリングＣを配設するとともに、ガイド支柱３を、ハウジング本体Ｈ１の底部ｈ２ｂに穿設された透孔ｈ１０に挿入することにより、圧縮コイルスプリングＣを、表示部材Ｄの下面１ｂとハウジング本体Ｈ１の底部ｈ２ｂとの間に配置する。このように、圧縮コイルスプリングＣを配設することにより、表示部材Ｄが、上方、換言すれば、ハウジング本体Ｈ１の周壁ｈ２を形成する天部ｈ２ａ方向に付勢されている。
【００２６】
切り離し金具５を形成する上部端子部５ａと保護素子部材Ｐを形成する保護素子側端子金具１５とは、保護素子として機能するバリスター１０が過熱された際には溶融する溶融部材Ｍにより連結されている。
【００２７】
周壁ｈ２を形成する底部ｈ２ｂに形成された一対の切欠き凹部ｈ４のうち、ガイドリブｈ６側に位置する切欠き凹部ｈ４には、ライン端子金具２０が挿入されており、ライン端子金具２０と切り離し金具５の下部端子部５ｂとは、所定の長さを有する導電線Ｅにより連結されている。ライン端子金具２０に穿設された透孔２０ａには、切欠き凹部ｈ４の奥壁ｈ４ａに突設された嵌合突起ｈ４ｂが嵌合するように構成されている。
【００２８】
上述した保護素子部材Ｐを構成する一対のバリスター１０に挟持されたアース端子金具１１は、保護素子収容部ｈ３に形成された端子金具用切欠き凹部ｈ３ｃに挿入されるとともに、周壁ｈ２を形成する底部ｈ２ｂに形成されたもう一方の切欠き凹部ｈ４に挿入され、また、アース端子金具１１に穿設された透孔１１ａには、切欠き凹部ｈ４の奥壁ｈ４ａに突設された嵌合突起ｈ４ｂが嵌合するように構成されている。
【００２９】
図６及び図７に示されているように、切り離し金具５を形成する上部端子部５ａと保護素子部材Ｐを形成する保護素子側端子金具１５とが、溶融部材Ｍを介して連結された場合には、回転ブロック４の係合突条４ｅが、ハウジング本体Ｈ１に配設された当接ブロックｈ８の嵌合溝ｈ８ａに挿入されるように構成されている。
【００３０】
また、切り離し金具５を形成する上部端子部５ａと保護素子部材Ｐを構成する保護素子側端子金具１５とが、溶融部材Ｍを介して連結されている場合には、回転ブロック４の正常動作表示側面４ｃが、上方に位置し、図６や図７に示されているように、表示窓として機能する切欠き凹部ｈ５から目視できるように構成されている。また、切り離し金具５を形成する上部端子部５ａと保護素子部材Ｐを形成する保護素子側端子金具１５とが、溶融部材Ｍを介して連結されている場合には、回転ブロック４の喪失動作表示側面４ｆが、ガイドリブｈ６と対峙して位置するように構成されており、従って、表示窓として機能する切欠き凹部ｈ５からは目視できないように構成されている。
【００３１】
上述したように、切り離し金具５の上部端子部５ａと保護素子部材Ｐの保護素子側端子金具１５とが、溶融部材Ｍを介して連結されている場合には、回転ブロック４の正常動作表示側面４ｃが、表示窓として機能する切欠き凹部ｈ５から目視できるように構成されており、従って、表示窓として機能する切欠き凹部ｈ５から、正常動作表示側面４ｃが目視された場合には、保安装置が、正常な保安状態にあることを確認することができる。また、上述したように、表示窓として機能する切欠き凹部ｈ５から、正常動作表示側面４ｃが目視された場合には、回転ブロック４が適切に配設されていることを確認することができる。即ち、表示窓として機能する切欠き凹部ｈ５から、正常動作表示側面４ｃが目視された場合には、回転ブロック４の係合突条４ｅが、ハウジング本体Ｈ１に配設された当接ブロックｈ８の嵌合溝ｈ８ａに挿入され、また、喪失動作表示側面４ｆが、ガイドリブｈ６側に位置していることを確認することができる。
【００３２】
ハウジング本体Ｈ１に、保護素子部材Ｐが収納された後に、板状の蓋Ｈ２を被蓋することになるが、ハウジング本体Ｈ１に、蓋Ｈ２が被蓋された際には、蓋Ｈ２が、ハウジング本体Ｈ１の周壁ｈ２の先端角部に形成された段差ｈ２’に嵌合されるように構成されている。また、蓋Ｈ２の裏面に垂設された一対の押え板ｈ１１が、ハウジング本体Ｈ１の周壁ｈ２を形成する底部ｈ２ｂに形成された切欠き凹部ｈ４に挿入されるように構成されており、切欠き凹部ｈ４に挿入された押え板ｈ１１が、切欠き凹部ｈ４に挿入されているライン端子金具２０及び保護素子部材Ｐの保護素子として機能する一対のバリスター１０に挟持されたアース端子金具１１を押えて、ライン端子金具２０とアース端子金具１１とを固定するように構成されている。その後、図８に示されているように、蓋Ｈ２に穿設されたボルト孔ｈ１２に、ボルトＢを挿通するとともに、ボルトＢのネジ部ｂ１を、蓋取付用円筒部ｈ７の内周に刻設されたネジ溝ｈ７ａに螺合させることにより、ハウジング本体Ｈ１に、蓋Ｈ２を被蓋するように構成されている。
【００３３】
保護素子部材Ｐを構成するバリスター１０が過熱された際には、切り離し金具５の上部端子部５ａと保護素子部材Ｐの保護素子側端子金具１５とを接続する溶融部材Ｍが溶融することになる。このように、溶融部材Ｍが溶融すると、表示部材Ｄは、表示部材Ｄの本体１の下面１ｂとハウジング本体Ｈ１の底部ｈ２ｂとの間に配設された圧縮コイルスプリングＣの付勢力により、表示部材Ｄが上動し、図９に示されているように、切り離し金具５の上部端子部５ａと保護素子部材Ｐの保護素子側端子金具１５とが分離されることになる。表示部材Ｄが上動した際には、当接ブロックｈ８の嵌合溝ｈ８ａに挿入されているとともに、嵌合溝ｈ８ａの天部ｈ８ｂに当接或いは接近して位置する回転ブロック４の係合突条４ｅが、嵌合溝ｈ８ａの天部ｈ８ｂに当接して、回転ブロック４が、表示部材Ｄの相対する支持ブロック２に穿設された透孔２ｂを中心に、図９に示されているように、９０度回転することになり、従って、回転ブロック４の喪失動作表示側面４ｆが上方に位置するとともに、回転ブロック４の少なくとも喪失動作表示側面４ｆが、ハウジング本体Ｈ１の天部ｈ２ａに形成された表示窓として機能する切欠き凹部ｈ５から突出することになる。このように、喪失動作側面４ｆが上方に位置する回転ブロック４が、ハウジング本体Ｈ１の天部ｈ２ａに形成された表示窓として機能する切欠き凹部ｈ５から突出することにより、保安装置の保安状態が喪失したことを、確実に、目視することができる。
【００３４】
なお、上述した構成を有する保安装置Ｓは、図１０に示されているように、レール部材Ｒにスライド可能に配設されたジャック盤Ｊに取り付けられることになる。ジャック盤Ｊの嵌合凹部ｊ１を形成する底部ｊ１ａには、保護素子部材Ｐのアース端子金具１１が挿入されるアース端子金具用挿入孔ｊ２とライン端子金具２０が挿入されるライン端子金具用挿入孔ｊ３と表示部材Ｄの本体１の下面１ｂに垂設されたガイド支柱３が挿入されるガイド支柱用挿入孔ｊ４が穿設されている。ジャック盤Ｊの底部ｊ１ａに穿設されたアース端子金具用挿入孔ｊ２に、保護素子部材Ｐのアース端子金具１１を挿入し、また、ジャック盤Ｊの底部ｊ１ａに穿設されたライン端子金具用挿入孔ｊ３に、ライン端子金具２０を挿入し、更に、ジャック盤Ｊの底部ｊ１ａに穿設されたガイド支柱用挿入孔ｊ４に、表示部材Ｄの本体１の下面１ｂに垂設されたガイド支柱３を挿入するこにより、保安装置Ｓが、ジャック盤Ｊに取り付けられるように構成されている。なお、図１０において、ｊ５は、アース端子金具１１に接続されたアース線であり、ｊ６は、ライン端子金具２０に接続された線路線である。
【００３５】
上述したように、ハウジング本体Ｈ１には、回転ブロック４を有するとともに上動可能な表示部材Ｄと保護素子部材Ｐが配設されており、保護素子部材Ｐを構成する保護素子として機能する一対のバリスター１０が、保安状態を維持している状態においては、回転ブロック４の正常動作表示側面４ｃが、ハウジング本体Ｈ１に穿設された表示窓として機能する切欠き凹部ｈ５から目視され、また、保護素子部材Ｐを構成する保護素子として機能する一対のバリスター１０が、保安状態を喪失した状態においては、表示部材Ｄが上動することにより、回転ブロック４の喪失動作表示側面４ｆが上方に位置するように回転ブロック４が回転するとともに、回転ブロック４が、表示窓として機能する切欠き凹部ｈ５から突出するように構成されている。
【００３６】
上述したように構成することにより、保護素子部材Ｐを構成する保護素子として機能する一対のバリスター１０が、保安状態を維持している状態か或いは保安状態を喪失した状態かを、確実に区別して確認することができる。
【００３７】
また、ハウジング本体Ｈ１の奥壁ｈ１に立設されたガイドリブｈ６と該ガイドリブｈ６と接近して相対する垂直部ｈ２ｃとにより形成される空間部Ａに、表示部材Ｄを構成する本体１が配置されているので、表示部材Ｄの上動が円滑に行われ、従って、保護素子部材Ｐを構成する保護素子として機能する一対のバリスター１０が、保安状態を喪失した際に、表示部材Ｄに配設された回転ブロック４を、確実に回転することができるとともに、回転ブロック４を、確実に表示窓として機能する切欠き凹部ｈ５から突出することができる。
【図面の簡単な説明】
【００３８】
【図１】図１は、本発明の保安装置を構成するハウジング本体の斜視図である。
【図２】図２は、本発明の保安装置を構成するハウジング本体の正面面である。
【図３】図３は、本発明の保安装置を構成する表示部材の分解斜視図である。
【図４】図４は、本発明の保安装置を構成する表示部材等の分解斜視図である。
【図５】図５は、本発明の保安装置を構成する保護素子部材の斜視図である。
【図６】図６は、本発明の保安装置を構成するハウジング本体に、保護素子部材が収納された状態の斜視図である。
【図７】図７は、本発明の保安装置を構成するハウジング本体に、保護素子部材が収納された状態の正面図である。
【図８】図８は、本発明の保安装置を構成する保護素子部材が収納されたハウジング本体と蓋等の分解斜視図である。
【図９】図９は、本発明の保安装置を構成するハウジング本体に、保護素子部材が収納され、且つ、回転ブロックが突出した状態の正面図である。
【図１０】図１０は、本発明の保安装置とジャック盤等の分解斜視図である。
【符号の説明】
【００３９】
Ｄ・・・・・・・・・・・・・・表示部材
Ｈ・・・・・・・・・・・・・・ハウジング
Ｈ１・・・・・・・・・・・・・ハウジング本体
Ｈ２・・・・・・・・・・・・・蓋
Ｐ・・・・・・・・・・・・・・保護素子部材
４・・・・・・・・・・・・・・回転ブロック
５・・・・・・・・・・・・・・切り離し金具
１０・・・・・・・・・・・・・バリスター（保護素子）
【図１】
2006059888.tif 000003
【図２】
2006059888.tif 000004
【図３】
2006059888.tif 000005
【図４】
2006059888.tif 000006
【図５】
2006059888.tif 000007
【図６】
2006059888.tif 000008
【図７】
2006059888.tif 000009
【図８】
2006059888.tif 000010
【図９】
2006059888.tif 000011
【図１０】
2006059888.tif 000012